(57)【要約】【課題】第一の構成部材とそれに組み付けられる第二の構成部材を含んで構成された組付構造物において、第一の構成部材と第二の構成部材の組付状態が解除されることを有利に阻止することが出来る、新規な構造の組付状態解除阻止機構を提供することを、目的とする。【解決手段】第一の構成部材１２に対して第二の構成部材１４が組み付けられた状態で、第一の構成部材１２と第二の構成部材１４の解除方向に対して交差する方向でそれぞれの内部空間２７，３９が繋がった状態に位置せしめられる第一の筒部３８と第二の筒部２８とに跨って挿入されるスプリングピン６０を、第一の筒部３８に嵌めて、第一の構成部材１２と第二の構成部材１４を固定した。【選択図】図１８
2007275430.tif 000002
【特許請求の範囲】
【請求項１】
第一の構成部材と該第一の構成部材に対して組み付けられる第二の構成部材とを含んで構成された組付構造物における該第一の構成部材と該第二の構成部材の組付状態の解除を阻止する組付状態解除阻止機構であって、
前記第一の構成部材及び前記第二の構成部材のうちの一方に一体形成された第一の筒部と、該第一の構成部材及び該第二の構成部材のうちの他方に一体形成された第二の筒部とが、前記組付状態下において、該組付状態を解除する解除方向に対して交差する方向で、該第一の筒部と該第二の筒部のそれぞれの内部空間が繋がった状態となるように位置せしめられると共に、スプリングピンを該第一の筒部において該第二の筒部とは反対側の開口から挿入して該第一の筒部に嵌めて、更に、該スプリングピンにおいて挿入時に先行する先行端部が該第二の筒部の該内部空間内に至るまで該スプリングピンを挿入することで、該第一の構成部材と該第二の構成部材を固定した固定状態が実現されるようにする一方、板状片の中央部分から板厚方向一方に突出する挿入突起が該スプリングピンにおける該先行端部とは反対側の端部に挿入固定されていると共に、該固定状態が実現された状態で、該板状片が該第一の筒部に対して該スプリングピンの挿入方向とは反対側に係止されるようにし、更に、該第一の筒部に該スプリングピンを嵌めて、該板状片が該第一の筒部の該内部空間内に収容位置せしめられた状態で、該板状片の中央部分から板厚方向他方に突出するように設けられた操作突起が該第一の筒部において該第二の筒部のほうとは反対側に位置する開口端面から突出せしめられるようにしたことを特徴とする組付状態解除阻止機構。
【請求項２】
前記操作突起が前記板状片に対して別体形成されており、該操作突起に対して前記スプリングピンの挿入方向に外力が及ぼされる場合には、該操作突起が該板状片に対して組み付けられるようにする一方、該操作突起に対して該スプリングピンの挿入方向とは反対側の方向に外力が及ぼされる場合には、該操作突起が該板状片から取り外されるようにした請求項１に記載の組付状態解除阻止機構。
【請求項３】
前記スプリングピンを前記第一の筒部に嵌めて、前記板状片が該第一の筒部の前記内部空間内に収容位置せしめられた状態で、該スプリングピンにおける前記先行端部と前記挿入突起の突出端が、前記第二の筒部における該第一の筒部のほうの開口端面よりも該第一の筒部のほうに位置せしめられて、前記組付状態の解除を許容する準備状態が実現されるようにした請求項１又は２に記載の組付状態解除阻止機構。
【発明の詳細な説明】
【技術分野】
【０００１】
本発明は、第一の構成部材とそれに組み付けられる第二の構成部材を含んで構成された組付構造物において、第一の構成部材と第二の構成部材の組付状態が解除されることを阻止する組付状態解除阻止機構に関するものである。
【背景技術】
【０００２】
一般に、民生用の様々な装置は、単一の部品のみで構成されておらず、殆どの場合、複数の構成部材が組み付けられることで構成されている。
【０００３】
そこにおいて、上述の如く、複数の構成部材が組み付けられることで構成された装置（以下、組付構造物と称する）には、例えば、安全性確保や不正改造防止等の観点から、組付構造物を構成する複数の構成部材のうち第一の構成部材とそれに組み付けられる第二の構成部材の組付状態が解除されることを阻止する機構（以下、組付状態解除阻止機構と称する）を備えたものがある。具体的には、例えば、スロットマシンやパチンコ機等の遊技機の分野においては、遊技機の作動の全体を制御する主制御基板が収容される基板ケースの開封を阻止する開封阻止機構が、それである。
【０００４】
ところで、上述の如き開封阻止機構としては、例えば、特許文献１に記載されているように、ケース本体とそれに組み付けられる蓋部材のそれぞれに円筒部材を設けて、これらの円筒部材に中実ピンを嵌着することにより、ケース本体と蓋部材の相対変位を阻止する開蓋阻止機構が、従来から知られている。
【０００５】
しかしながら、特許文献１に記載の如き開蓋阻止機構においては、基板ケースに収容される制御基板への不正行為を外部から容易に確認できるように、基板ケースを構成する各構成部材が、ポリカーボネート（ＰＣ）等の透明な合成樹脂材料によって形成されるのが一般的である。そうすると、ケース本体と蓋部材のそれぞれに設けられる円筒部材も、生産効率等との関係から、殆どの場合、ケース本体や蓋部材と同じ材料で、ケース本体や蓋部材に対して一体形成されるようになっている。その結果、これらの円筒部材に対して、成形時に寸法誤差が生じてしまうおそれがある。
【０００６】
加えて、基板ケースの周辺温度によっては、ケース本体と蓋部材のそれぞれに設けられた円筒部材における中心孔の軸直角方向での断面形状や大きさ等が変化してしまうおそれがある。
【０００７】
それ故、特許文献１に記載の如き開蓋阻止機構においては、両方の円筒部材に中実ピンを嵌め込むことが困難になったり、両方の円筒部材に中実ピンを嵌め込むことは出来るが、その中実ピンが容易に抜けてしまったり、或いは、両方の円筒部材の少なくとも一方に対して中実ピンが嵌着固定されていたとしても、基板ケースの周辺温度の変化によって中実ピンが抜け易くなってしまうおそれがあり、開蓋阻止機構としての機能を十分に発揮することが難しくなってしまうおそれがある。
【０００８】
また、組付構造物においては、メンテナンスや検査等の観点から、組付状態解除阻止機構による組付状態解除阻止機能が発揮されないようにして、第一の構成部材と第二の構成部材の組付状態を解除しなければならない場合がある。具体的には、例えば、遊技機の動作を全体的に制御する主制御基板が収容された基板ケースにおいて、そこに収容されている主制御基板のメンテナンスや検査を行う場合である。
【０００９】
そこで、基板ケースに対して複数の開蓋阻止機構を設けておき、それら複数の開蓋阻止機構の一つを使用することにより、基板ケースの開封を複数回可能にすることが考えられる。
【００１０】
ところで、基板ケースに複数の開蓋阻止機構を設けておき、これら複数の開蓋阻止機構を一つだけ使用する場合、基板ケースを一度開封すると、それまで使用していた開蓋阻止機構は使用不能になるのが、一般的であることから、残りの未使用状態の開蓋阻止機構を使用する必要が出てくる。
【００１１】
そうすると、使用する開蓋阻止機構において、その機能を十分に発揮させるためには、基板ケースを開封するまで使用していた開蓋阻止機構と同様に、両円筒部材に中実ピンを嵌着する必要がある。
【００１２】
そこにおいて、最初の中実ピンの嵌着作業は製造工場等で行われるが、その後の中実ピンの嵌着作業は、殆どの場合、遊技機の設置された遊技ホール等で行われるのが一般的である。それ故、中実ピンの嵌着作業を行う者が、必ずしもかかる作業に慣れているとは限らないことから、作業を速やかに行うことが難しくなるおそれや、中実ピンの両円筒部材への嵌着状態が不十分になってしまうことにより、開封阻止機構としての機能が十分に発揮されなくなるおそれがある。
【００１３】
【特許文献１】特開２００５−３４２１９３号公報
【発明の開示】
【発明が解決しようとする課題】
【００１４】
ここにおいて、本発明は、上述の如き事情を背景として為されたものであって、その解決課題とするところは、第一の構成部材とそれに組み付けられる第二の構成部材を含んで構成された組付構造物において、第一の構成部材と第二の構成部材の組付状態が解除されることを有利に阻止することが出来る、新規な構造の組付状態解除阻止機構を提供することにある。
【００１５】
また、本発明は、未使用状態の組付状態解除阻止機構を使用する際に、目的とする組付状態解除阻止機能を発揮させるための作業を有利に行うことが出来る、新規な構造の組付状態解除阻止機構を提供することも、目的とする。
【課題を解決するための手段】
【００１６】
以下、このような課題を解決するために為された本発明の態様を記載する。なお、以下に記載の各態様において採用される構成要素は、可能な限り任意の組み合わせで採用可能である。
【００１７】
本発明は、第一の構成部材と第一の構成部材に対して組み付けられる第二の構成部材とを含んで構成された組付構造物における第一の構成部材と第二の構成部材の組付状態の解除を阻止する組付状態解除阻止機構であって、第一の構成部材と第二の構成部材のうちの一方に一体形成された第一の筒部と、第一の構成部材と第二の構成部材のうちの他方に一体形成された第二の筒部とが、第一の構成部材と第二の構成部材の組付状態下において、かかる組付状態を解除する解除方向に対して交差する方向で、第一の筒部と第二の筒部のそれぞれの内部空間が繋がった状態となるように位置せしめられると共に、スプリングピンを第一の筒部において第二の筒部とは反対側の開口から挿入して第一の筒部に嵌めて、更に、スプリングピンにおいて挿入時に先行する先行端部が第二の筒部の内部空間内に至るまでスプリングピンを挿入することで、第一の構成部材と第二の構成部材を固定した固定状態が実現されるようにしたことを、特徴とする。また、本発明の組付状態解除阻止機構においては、板状片の中央部分から板厚方向一方に突出する挿入突起がスプリングピンにおける先行端部とは反対側の端部に挿入固定されていると共に、第一の構成部材と第二の構成部材を固定した固定状態が実現された状態で、板状片が第一の筒部に対してスプリングピンの挿入方向とは反対側に係止されるようにしたことも、特徴とする。更に、本発明の組付状態解除阻止機構においては、第一の筒部にスプリングピンを嵌めて、板状片が第一の筒部の内部空間内に収容位置せしめられた状態で、板状片の中央部分から板厚方向他方に突出するように設けられた操作突起が第一の筒部において第二の筒部のほうとは反対側に位置する開口端面から突出せしめられるようにしたことも、特徴とする。
【００１８】
このような本発明に従う構造とされた組付状態解除阻止機構においては、組付構造物を構成する第一の構成部材と第二の構成部材が組み付けられた状態下において、これら第一の構成部材と第二の構成部材の組付状態を解除する解除方向に対して交差する方向で、第一の筒部と第二の筒部のそれぞれの内部空間が繋がった状態となるように位置せしめられていると共に、スプリングピンが第一の筒部において第二の筒部とは反対側の開口から挿入されて第一の筒部に嵌められ、更に、スプリングピンにおいて挿入時に先行する先行端部が第二の筒部の内部空間内に至るまでスプリングピンが挿入されることで、第一の構成部材と第二の構成部材が固定された固定状態が実現されるようになっていることから、第一の構成部材と第二の構成部材の解除方向への変位がスプリングピンによって阻止されることとなる。
【００１９】
そこにおいて、本発明では、第一の筒部にスプリングピンが嵌められていることから、スプリングピンに対して、軸直角方向への外力、即ち、スプリングピンを締める方向への外力が及ぼされて、スプリングピンの軸直角方向での断面が変形せしめられることとなる。
【００２０】
これにより、スプリングピンが元の形状に戻ろうとする力、即ち、スプリングピンそのものが有する軸直角方向へのばね作用に基づく復元力を、第一の筒部に対して及ぼすことが可能となり、スプリングピンが第一の筒部から抜ける方向へ変位する場合に、スプリングピンの外周面と第一の筒部の内周面との間に生ぜしめられて、スプリングピンの変位を妨げる方向に作用する摩擦力を有利に確保することが可能となる。その結果、第一の筒部の成形時の寸法誤差に起因する不具合を回避して、第一の構成部材と第二の構成部材との良好な固定状態、延いては、組付状態の維持を有利に実現することが可能となる。
【００２１】
また、本発明においては、スプリングピンそのものが有する軸直角方向へのばね作用に基づく復元力を、スプリングピンが嵌められている第一の筒部に対して及ぼすことが出来るようになっていることから、例えば、組付構造物の周辺温度の変化に伴って、第一の筒部における内部空間の軸直角方向での断面形状や大きさ等が変化した場合であっても、スプリングピンそのものが有する軸直角方向へのばね作用に基づく復元力を、第一の筒部に対して及ぼすことが可能となる。
【００２２】
これにより、スプリングピンが第一の筒部から抜ける方向へ変位する場合に、スプリングピンの変位を妨げる方向に作用する摩擦力、即ち、スプリングピンの外周面と第一の筒部の内周面との間に発生する摩擦力を有利に確保することが可能となる。その結果、組付構造物の周辺温度の変化に起因する不具合を回避して、第一の構成部材と第二の構成部材の良好な固定状態、延いては、組付状態の維持を有利に実現することが可能となる。
【００２３】
更にまた、本発明においては、第一の構成部材と第二の構成部材の固定状態で、板状片が、第一の筒部に対して、スプリングピンの挿入方向とは反対側に係止されるようになっていることから、スプリングピンの挿入方向とは反対側への変位が阻止されることとなる。その結果、第一の構成部材と第二の構成部材の良好な固定状態、延いては、組付状態の維持を一層有利に実現することが可能となる。
【００２４】
従って、本発明の組付状態解除阻止機構においては、組付構造物を構成する第一の構成部材と第二の構成部材の組付状態が解除されることを有利に阻止することが可能となる。
【００２５】
また、本発明においては、スプリングピンが第一の筒部に嵌められて、板状片が第一の筒部の内部空間内に収容位置せしめられた状態で、板状片の中央部分から板厚方向他方に突出するように設けられた操作突起が、第一の筒部において第二の筒部のほうとは反対側に位置する開口端面から突出せしめられるようになっていることから、板状片における板厚方向他方の面からの操作突起の突出高さ等を適当に設定しておくことにより、板状片が第一の筒部に対してスプリングピンの挿入方向とは反対側に係止された状態、即ち、第一の構成部材と第二の構成部材が固定された固定状態を、特別な道具を用いることなく、スプリングピンの挿入方向に操作突起を押圧操作するだけで実現することが可能となる。
【００２６】
従って、本発明の組付状態解除阻止機構においては、未使用状態の組付状態解除阻止機構を使用する際に、目的とする組付状態解除阻止機能を発揮させるための作業、即ち、組付状態解除阻止機構を使用状態にするための作業を有利に行うことが可能となる。
【００２７】
特に、本発明においては、操作突起が板状片の中央部分から板厚方向他方に突出するように設けられていると共に、スプリングピンに挿入固定される挿入突起が板状片の中央部分から板厚方向一方に突出形成されていることから、スプリングピンの中心軸線上で操作突起に対して押圧操作力を及ぼすことが可能となり、その結果、スプリングピンの挿入作業を効率良く行うことが可能となる。
【００２８】
なお、本発明において、組付構造物は、第一の構成部材と第二の構成部材のみで構成されていても良いし、これら第一の構成部材と第二の構成部材の他に、構成部材を備えていても良い。また、第一の構成部材と第二の構成部材の形成材料は、それぞれ、特に限定されるものではないが、（１）軽量である点と、（２）加工性に優れている点等から、合成樹脂材料が好適に採用される。特に、ポリカーボネート（ＰＣ）等の透明な合成樹脂材料を採用する場合には、例えば、第一の構成部材と第二の構成部材が組み付けられることで形成された収容空間を外部から視認することが容易に可能となる。
【００２９】
また、本発明において、組付状態とは、第一の構成部材と第二の構成部材とを一体的に取り扱うことが可能な状態をいうものとし、固定状態とは、第一の構成部材と第二の構成部材の組付状態を解除することが阻止されている状態をいうものとする。
【００３０】
さらに、本発明において、第一の筒部と第二の筒部は、それぞれ、一つであっても良いし、二つ以上であっても良い。更にまた、本発明において、「第一の筒部と第二の筒部のそれぞれの内部空間が繋がった状態」とは、スプリングピンが第一の筒部と第二の筒部とに跨って挿入され得る状態をいう。その際、第一の筒部と第二の筒部は重なっていても良いし、適当な間隔をあけて離隔位置せしめられていても良い。
【００３１】
また、本発明において、第一の筒部や第二の筒部における内部空間の軸直角方向での断面形状は、特に限定されることはなく、例えば、円形や楕円形，多角形，更には、それらの歪んだ形状等、各種の断面形状が採用され得るが、特に第一の筒部においてスプリングピンの軸直角方向での断面の外形と略対応していることが望ましい。これにより、スプリングピンの外周面と第一の筒部の内周面との接触面積を有利に確保することが可能となる。その結果、スプリングピンの外周面と第一の筒部の内周面との間に発生する摩擦力を有利に確保することが可能となり、スプリングピンの軸方向の変位を有利に阻止することが可能となる。
【００３２】
更にまた、本発明において、第一の筒部や第二の筒部の軸直角方向での断面の大きさや形状等は、軸方向において一定である必要はなく、例えば、軸方向の一端側と他端側で軸直角方向での断面の大きさや形状等が異なっていても良い。
【００３３】
また、本発明におけるスプリングピンは、軸直角方向へのばね作用を生ぜしめる形状であれば、特に限定されることはなく、例えば、スプリングピンの周方向の一部において軸方向の全長に亘って切り込みが形成された形状や、周壁が周方向で連続する筒形状とされており、その軸直角方向での断面形状が各頂部に丸みを有する多角形とされている形状，更には、周壁の軸直角方向での断面形状が渦巻き状とされており、周壁の少なくとも一部が軸直角方向で重なっている形状等が採用される。そこにおいて、スプリングピンの周方向の一部において軸方向の全長に亘って切り込みが形成されている場合には、その切り込みは、スプリングピンの軸方向に沿ってストレートに延びている必要はなく、例えば、軸方向に対して傾斜する方向に延びていても良いし、蛇行するように延びていても良い。
【００３４】
さらに、本発明において、スプリングピンの軸直角方向での断面の外形は、スプリングピンの軸直角方向へのばね作用を生ぜしめる形状であれば、特に限定されることはなく、例えば、略円形や略楕円形，略多角形、更には、それらの歪んだもの等が採用される。
【００３５】
更にまた、本発明において、スプリングピンの周壁の厚さ寸法は、周方向で一定であっても良いし、異なっていても良い。そこにおいて、周方向の一部において軸方向の全長に亘って切り込みが形成されているスプリングピンの場合、その周壁の厚さ寸法は、切り込みに対して軸直角方向で対向位置する部分が最も大きくされている一方、その部分から切り込みへと周方向に沿って行くに従って次第に厚さ寸法が小さくされていることが望ましい。これにより、スプリングピンが第一の筒部に嵌められた状態で第一の筒部に発生する応力が周方向に均等とされる。その結果、スプリングピンが第一の筒部に嵌められた状態で、スプリングピンの外周面を第一の筒部の内周面に対して全周に亘って密着させることが可能となり、スプリングピンの抜け方向への変位を一層有利に阻止することが可能となる。
【００３６】
更にまた、本発明において、スプリングピンが、周方向の一部において軸方向の全長に亘って切り込みが形成されている形状や、周壁の軸直角方向での断面形状が渦巻き状とされており、周壁の少なくとも一部が軸直角方向で重なっている形状等である場合には、例えば、管に対して軸方向の全長に亘って切り込みを形成する方法や、板材を丸める方法等によって、目的とするスプリングピンが有利に形成される。また、本発明において、スプリングピンが、周壁が周方向で連続とされており、その軸直角方向での断面形状が各頂部に丸みを有する多角形とされている形状である場合には、例えば、引き抜き若しくは押出し成形することによって、目的とするスプリングピンが有利に形成される。
【００３７】
また、本発明において、スプリングピンの形成材料は、軸直角方向へのばね作用を有利に得ることが出来る材料であれば、特に限定されることなく、例えば、鉄鋼やばね鋼，ばね用ステンレス鋼等が採用可能である。
【００３８】
さらに、本発明において、第一の筒部に対する板状片の係止状態は、第一の筒部の内周面に形成された段差に板状片が係止されることで実現されるようになっていても良いし、第一の筒部において軸直角方向に開口形成された開口穴に板状片が嵌め込まれて、かかる開口穴の内周面に板状片が係止されることで実現されるようになっていても良い。
【００３９】
また、本発明においては、操作突起が板状片に対して別体形成されており、操作突起に対してスプリングピンの挿入方向に外力が及ぼされる場合には、操作突起が板状片に対して組み付けられるようにする一方、操作突起に対してスプリングピンの挿入方向とは反対側の方向に外力が及ぼされる場合には、操作突起が板状片から取り外されるようにすることが望ましい。これにより、操作突起のスプリングピンの挿入方向への押圧操作が有利に実現されることとなる一方、板状片が第一の筒部に対してスプリングピンの挿入方向とは反対側に係止された状態、即ち、第一の構成部材と第二の構成部材の固定状態が実現されて、操作突起が不要となった場合には、操作突起の板状片からの取り外しが有利に実現されることとなる。また、操作突起を手掛かりにしたスプリングピンの引き抜きを有利に回避することが可能となる。
【００４０】
そこにおいて、上述の如き操作突起と板状片との関係は、例えば、板状片に対して嵌合穴を形成する一方、操作突起に対して嵌合用突起を形成し、かかる嵌合用突起を嵌合穴に嵌め入れることによって、或いは、板状片に形成された嵌合穴に対して操作突起を直接嵌め入れること等によって、有利に実現される。
【００４１】
また、板状片と操作突起が別体形成されている場合には、これら板状片と操作突起は、同じ材料で形成されていても良いし、互いに異なる材料で形成されていても良い。
【００４２】
さらに、本発明においては、スプリングピンを第一の筒部に嵌めて、板状片が第一の筒部の内部空間内に収容位置せしめられた状態で、スプリングピンにおける先行端部と挿入突起の突出端が、第二の筒部における第一の筒部のほうの開口端面よりも第一の筒部のほうに位置せしめられて、第一の構成部材と第二の構成部材の組付状態の解除を許容する準備状態が実現されるようにすることが望ましい。これにより、第一の構成部材と第二の構成部材の固定状態を実現するためにスプリングピンが嵌められる第一の筒部を巧く利用して、未使用状態の組付状態解除阻止機構において将来使用するスプリングピンを準備しておくことが可能となる。その結果、未使用状態の組付状態解除阻止機構において将来使用するスプリングピンの配設スペースを有利に確保することが可能となる。
【００４３】
なお、上述の如き準備状態は、例えば、スプリングピンの外周面と第一の筒部の内周面との間に発生する静止摩擦力を利用すること等によって、有利に実現される。
【発明を実施するための最良の形態】
【００４４】
以下、本発明を更に具体的に明らかにするために、本発明の実施形態について、図面を参照しつつ、詳細に説明する。
【００４５】
先ず、図１には、本発明の一実施形態の組付状態解除阻止機構としてのロック機構１１が採用された組付構造物としての遊技機用基板ケース１０が示されている。この遊技機用基板ケース１０は、第一の構成部材としてのケース本体１２に対して第二の構成部材としての蓋部材１４が組み付けられた構造とされており、これらケース本体１２と蓋部材１４の組付状態の解除がロック機構１１によって阻止されて、その内部に制御基板１６を収容した状態で、図示しない遊技機の裏側の適当な位置に取り付けられるようになっている。
【００４６】
より詳細には、ケース本体１２は、ポリカーボネート（ＰＣ）等の透明な硬質の合成樹脂材料によって形成されており、図２乃至４に示されているように、全体として、底板１８の外周縁部に沿って全周に亘って延びる周壁２０が立設されて、上側に開口する開口部２２が形成された構造とされている。
【００４７】
そこにおいて、本実施形態では、ケース本体１２の長手方向（図２における左右方向）で対向位置せしめられた一対の長手方向対向壁部２４，２４のそれぞれに対して、上方に開口して長手方向対向壁部２４の長手方向となるケース本体１２の幅方向（図２における上下方向）に延びるガイド溝２６が形成されている。
【００４８】
また、ケース本体１２の幅方向一方（図２における下方）の側壁部には、複数（本実施形態では、八つ）の第二の筒部としての本体側筒部２８が一体形成されている。特に、本実施形態では、これら八つの本体側筒部２８は、ケース本体１２の長手方向中央を挟んで、長手方向一方の側と他方の側に、四つずつまとまって一つのグループを構成するようにして位置せしめられている。
【００４９】
そこにおいて、本実施形態では、各本体側筒部２８は有底円筒形状とされており、その周壁部分が、ケース本体１２の幅方向一方の側壁部に対して、取付片３０によって取り付けられている。これにより、各本体側筒部２８がケース本体１２の外周縁部としての周壁２０に対して一体形成されているのである。
【００５０】
また、本実施形態では、各本体側筒部２８の開口方向、即ち、各本体側筒部２８の中心軸線が延びる方向は、ケース本体１２の開口部２２の開口方向、即ち、底板１８に対して略直交する方向に対して略平行とされている。
【００５１】
更にまた、本実施形態では、各本体側筒部２８の上方において、Ｕ字断面で本体側筒部２８の開口方向（軸方向）に延びる下段収容部３２が一体形成されている。そして、下段収容部３２の底壁に形成された連通孔を通じて、下段収容部３２内と本体側筒部２８内が相互に連通せしめられている。
【００５２】
また、本実施形態では、各下段収容部３２の上方において、コ字状断面で本体側筒部２８の軸方向に延びる上段収容部３４が一体形成されている。そして、上段収容部３４の底壁に形成された切欠によって、上段収容部３４内と下段収容部３２内が相互に連通せしめられている。なお、本実施形態では、隣り合う二つの上段収容部３４，３４は、隣り合う方向に位置する側壁部、即ち、ケース本体１２の幅方向に延びる側壁部を共有している。
【００５３】
このような構造とされたケース本体１２に組み付けられる蓋部材１４は、ケース本体１２と同様に、ポリカーボネート（ＰＣ）等の透明な硬質の合成樹脂材料によって形成されており、図５乃至７に示されているように、全体として、天板３６の外周縁部に沿って延びる周壁３７が立設されて、下側に開口する開口部が形成された構造とされている。なお、本実施形態の天板３６は、その幅方向（図５中の上下方向）中間部分において傾斜部分が設けられており、それによって、幅方向の両端において天板３６から開口端までの距離が異ならされている。
【００５４】
また、蓋部材１４の幅方向一方の側壁部には、複数（本実施形態では、八つ）の第一の筒部としての蓋側筒部３８が一体形成されている。特に、本実施形態では、これら八つの蓋側筒部３８は、蓋部材１４の長手方向中央を挟んで、長手方向一方の側と他方の側に、四つずつまとまって一つのグループを構成するようにして位置せしめられている。
【００５５】
そこにおいて、本実施形態では、各蓋側筒部３８は、矩形断面で開口する枠体乃至は筒体形状とされた上側収容部４０の底壁に対して略一定の断面でストレートに延びる円筒形状とされた下側収容部４２が同一中心軸上で軸方向下方に突設された構造とされており、これら上側収容部４０と下側収容部４２は、上側収容部４０の底壁に形成された連通孔を通じて、相互に連通せしめられている。
【００５６】
特に、本実施形態では、各蓋側筒部３８の開口方向（各蓋側筒部３８の中心軸線が延びる方向）、即ち、上側収容部４０と下側収容部４２の開口方向（上側収容部４０と下側収容部４２の中心軸線が延びる方向）が、蓋部材１４の開口方向、即ち、天板３６に略直交する方向に対して略平行とされている。
【００５７】
このような構造とされた蓋側筒部３８は、上側収容部４０が一対の取付片４４，４４によって蓋部材１４における幅方向一方の側壁部に取り付けられている。これにより、各蓋側筒部３８が蓋部材１４の外周縁部としての周壁３７に対して一体形成されているのである。
【００５８】
続いて、上述の如き構造とされた蓋部材１４を、ケース本体１２に対して組み付けて固定する方法について、説明する。先ず、蓋部材１４の長手方向（図５における左右方向）で対向位置せしめられる一対の長手方向対向壁部４６，４６を、ケース本体１２の長手方向両端に形成された一対のガイド溝２６，２６に嵌め入れる。その際、図８に示されているように、ケース本体１２における各ガイド溝２６内に設けられた係止片４８，４８は、蓋部材１４における各長手方向対向壁部４６に形成された係止用切欠５０，５０内に収容位置せしめられるようになっている。なお、本実施形態の係止片４８，４８は、それぞれ、各ガイド溝２６の側壁部分に対して一体的に設けられている。
【００５９】
そこにおいて、本実施形態では、上述の如く、蓋部材１４における一対の長手方向対向壁部４６，４６がケース本体１２における一対のガイド溝２６，２６に嵌め入れられた状態で、ケース本体１２の底板１８と蓋部材１４における天板３６は、天板３６における傾斜部分を除いて略平行とされている。
【００６０】
また、図面上では明示されていないが、本実施形態では、上述の如く、ケース本体１２に設けられたガイド溝２６，２６に対して蓋部材１４における長手方向対向壁部４６，４６を嵌め入れる前において、制御基板１６は、そこに実装されているコネクタ５２が蓋部材１４に形成された窓５４から外部に突出した状態で、蓋部材１４に対してネジ止めされるようになっている。
【００６１】
なお、制御基板１６は、所定の検査機関による検査の対象となる制御基板（具体的には、例えば、遊技機の作動を全体的に制御する主制御基板や、かかる主制御基板からの制御信号に基づいて賞媒体の払い出しを制御する払出制御基板）等である。
【００６２】
そして、上述の如き状態から係止片４８，４８が係止用切欠５０，５０に係止される方向、即ち、ケース本体１２の開口部２２を蓋部材１４で覆蓋する方向（蓋を閉める方向）へと蓋部材１４をケース本体１２に対してスライド変位せしめることにより、図９に示されているように、係止片４８，４８が係止用切欠５０，５０に係止されるようになっている。因みに、本実施形態では、蓋部材１４をケース本体１２に対してスライド変位せしめる際において、天板３６が底板１８に対して平行移動せしめられるようになっている。
【００６３】
そして、上述の如く、蓋部材１４がケース本体１２に対してスライド変位せしめられることにより、ケース本体１２に対して蓋部材１４が組み付けられた状態となって、図１に示されているように、ケース本体１２の開口部２２が蓋部材１４で覆蓋されることとなる。すなわち、本実施形態では、ケース本体１２の開口部２２が蓋部材１４で覆蓋された状態が組付状態とされているのである。
【００６４】
また、上述の如く、ケース本体１２の開口部２２が蓋部材１４で覆蓋されたことにより、蓋部材１４にネジ止めされた制御基板１６が開口部２２を通じてケース本体１２に入れられることとなる。
【００６５】
なお、本実施形態では、上述の如く、ケース本体１２の開口部２２が蓋部材１４で覆蓋された状態で、図１に示されているように、ケース本体１２の幅方向他方の側壁部に形成された突起５６が、蓋部材１４における幅方向他方の側壁部に形成された挿通孔５８に嵌め入れられるようになっている。
【００６６】
また、上述の如く、蓋部材１４をケース本体１２に対してスライド変位せしめることにより、図１０に示されているように、蓋側筒部３８における下側収容部４２が本体側筒部２８の上方に設けられた下段収容部３２内に位置せしめられると共に、蓋側筒部３８における上側収容部４０が下段収容部３２の上方に形成された上段収容部３４内に位置せしめられるようになっている。
【００６７】
これにより、ケース本体１２に対して蓋部材１４が組み付けられた状態で、蓋側筒部３８と本体側筒部２８が、同一中心軸上に位置せしめられるようになっている。即ち、蓋部材１４において本体側筒部２８に対応する位置に蓋側筒部３８が設けられているのである。
【００６８】
そして、上述の如く、蓋側筒部３８と本体側筒部２８が同一中心軸線上に位置せしめられることにより、蓋側筒部３８の内部空間３９と本体側筒部２８の内部空間２７が後述するスプリングピン６０の挿入を許容する位置にあることとなる。即ち、本実施形態では、ケース本体１２に対して蓋部材１４が組み付けられた状態で、蓋側筒部３８と本体側筒部２８が同一中心軸上に位置せしめられることにより、蓋側筒部３８の内部空間３９と本体側筒部２８の内部空間２７が繋がった状態とされているのである。
【００６９】
なお、本実施形態では、上述の如く、蓋側筒部３８と本体側筒部２８が同一中心軸線上に位置せしめられた状態で、蓋側筒部３８における下側収容部４２の下端面と下段収容部３２の底面３３との間には、隙間が形成されている。
【００７０】
また、本実施形態では、上述の如く、底板１８に対して天板３６が平行移動するようにして、蓋部材１４がケース本体１２に対してスライド変位せしめられることにより、蓋部材１４がケース本体１２に対して組み付けられるようになっていることから、蓋部材１４がケース本体１２に対して組み付けられた状態で、蓋側筒部３８と本体側筒部２８の並ぶ方向、即ち、蓋側筒部３８と本体側筒部２８に共通の中心軸線が延びる方向が、蓋部材１４のケース本体１２に対するスライド方向、特に、解除方向としての開蓋方向（図１における下側から上側に向う方向）に交差している。
【００７１】
そして、上述の如く、同一中心軸上に位置せしめられた本体側筒部２８と蓋側筒部３８に対して、スプリングピン６０が嵌め入れられるようになっている。そこにおいて、本実施形態のスプリングピン６０は、鉄鋼やばね鋼，ばね用ステンレス鋼等で形成されており、図１１及び図１２に示されているように、周方向の一部において軸方向に蛇行しながら延びる切り込み６２が形成された筒形状とされている。なお、このようなスプリングピン６０は、例えば、長手方向両端縁部が幅方向の全長に亘って鋸歯状とされた板材を適当な機械や工具を用いて丸めること等によって、有利に形成される。また、本実施形態のスプリングピン６０には、その軸方向両端の外側角部に対して、全周に亘って角取りが施されている。これにより、軸方向両端の何れの側からであっても、スプリングピン６０の本体側筒部２８と蓋側筒部３８への挿入が有利に行われるようになっている。
【００７２】
また、本実施形態では、このようなスプリングピン６０に対して組付ピン６４が取り付けられている。この組付ピン６４は、ＡＢＳ等の合成樹脂材料によって形成されており、図１３乃至図１６に示されているように、全体として矩形平板形状とされた板状片６６の中央部分から厚さ方向一方の側に突出する挿入突起としての挿入軸６８が一体形成されていると共に、板状片６６の中央部分から厚さ方向他方の側に突出する操作突起５９が設けられた構造とされている。
【００７３】
そこにおいて、本実施形態の操作突起５９は、平面視で板状片６６よりも一回り小さい形状とされた押圧操作板部５７の中央部分から板厚方向一方の側に突出する嵌合用突起としての連結突起５５が一体形成された構造とされている。特に、本実施形態では、連結突起５５と押圧操作板部５７とが同一中心軸上に位置せしめられている。なお、操作突起５９は、ＡＢＳ等の合成樹脂材料や天然ゴム等のゴム材料等で形成されている。
【００７４】
そして、このような構造とされた操作突起５９は、板状片６６の板厚方向他方の面の中央部分に開口形成された嵌合穴としての連結穴５３に対して、連結突起５５が嵌め込まれることにより、板状片６６の中央部分から厚さ方向他方の側に突出するようにして、板状片６６に設けられているのである。即ち、本実施形態では、操作突起５９は板状片６６に対して別体形成されているのである。
【００７５】
特に、本実施形態では、このようにして、板状片６６に操作突起５９が突設された状態で、操作突起５９と板状片６６と挿入軸６８とが同一中心軸線上に位置せしめられるようになっている。
【００７６】
なお、本実施形態では、板状片６６の長手方向両端の下側角部に対して板状片６６の幅方向全長に亘って角取りが施されている。これにより、後述する板状片６６の上側収容部４０内における上側開口から底壁への移動を有利に行うことが可能となる。
【００７７】
このような構造とされた組付ピン６４は、図１７に示されているように、スプリングピン６０の軸方向一端６１側から挿入軸６８が挿入固定されることにより、スプリングピン６０に対して組み付けられている。このことから明らかなように、本実施形態では、スプリングピン６０の軸方向一端６１が先行端部とは反対側の端部とされているのである。
【００７８】
そこにおいて、本実施形態では、スプリングピン６０に対して組付ピン６４が組み付けられた状態で、組付ピン６４における挿入軸６８は、その突出端６５がスプリングピン６０内に位置せしめられた状態とされている。換言すると、スプリングピン６０に対して軸方向一端６１の開口から挿し込まれた挿入軸６８の突出端６５は、スプリングピン６０における軸方向他端６３の開口から軸方向外方に突出しないようになっているのである。
【００７９】
また、本実施形態では、上述の如く、組付ピン６４がスプリングピン６０に組み付けられた状態で、組付ピン６４（挿入軸６８と板状片６６と操作突起５９における連結突起５５と押圧操作板部５７）が、スプリングピン６０の中心軸線上に位置せしめられるようになっている。即ち、本実施形態では、スプリングピン６０と挿入軸６８と板状片６６と連結突起５５と押圧操作板部５７とが同一中心軸上に位置せしめられているのである。その結果、操作突起５９に対してスプリングピン６０の挿入方向に外力が及ぼされる場合には、操作突起５９における連結突起５５が板状片６６に形成された連結穴５３への嵌め込み状態、即ち、操作突起５９が板状片６６に組み付けられた状態が維持されるようになっている一方、操作突起５９に対して引き抜き方向、即ち、スプリングピン６０の挿入方向とは反対側の方向に外力が及ぼされる場合には、操作突起５９における連結突起５５が板状片６６に形成された連結穴５３から引き抜かれることにより、操作突起５９が板状片６６から取り外されるようになっているのである。
【００８０】
そして、上述の如く、組付ピン６４が組み付けられたスプリングピン６０は、図１８に示されているように、組付ピン６４が取り付けられていない軸方向他端６３側から蓋側筒部３８に挿入されるようになっている。即ち、本実施形態では、スプリングピン６０における軸方向他端６３が先行端部とされているのである。なお、図１８乃至図２０においては、スプリングピン６０とそこに組み付けられる組付ピン６４は断面図で示していない。
【００８１】
そこにおいて、スプリングピン６０が蓋側筒部３８に嵌め入れられた状態では、スプリングピン６０の軸方向一端６１、即ち、スプリングピン６０において組付ピン６４が組み付けられたほうの端は、蓋側筒部３８における上側収容部４０内に位置せしめられている。また、スプリングピン６０の軸方向一端６１側に組み付けられた組付ピン６４における板状片６６は、蓋側筒部３８における上側収容部４０に収容位置せしめられている。
【００８２】
特に、本実施形態では、板状片６６が上側収容部４０に収容位置せしめられた状態で、板状片６６の上面６７、即ち、板状片６６における操作突起５９が設けられたほうの面が、蓋側筒部３８における上側収容部４０の上端面６９、即ち、蓋側筒部３８におけるスプリングピン６０の挿入方向とは反対側の開口端面と略同じ高さに位置せしめられている。これにより、操作突起５９は、蓋側筒部３８における上側収容部４０の上端面６９、即ち、蓋側筒部３８において本体側筒部２８とは反対側に位置する開口端面から突出せしめられているのである。
【００８３】
また、本実施形態では、上述の如く、スプリングピン６０が蓋側筒部３８に嵌め入れられた状態で、スプリングピン６０の軸方向他端６３は、蓋側筒部３８における下側収容部４２内に位置せしめられている。即ち、スプリングピン６０の軸方向他端６３と、スプリングピン６０に挿入固定された挿入軸６８の突出端６５は、本体側筒部２８における蓋側筒部３８側の開口端面としての下段収容部３２の底面３３よりも蓋側筒部３８側に位置せしめられているのである。
【００８４】
そして、本実施形態では、上述の如く、スプリングピン６０が蓋側筒部３８に嵌め入れられることにより、スプリングピン６０における下側収容部４２に嵌め入れられている部分に対して、スプリングピン６０を締める力が作用することとなる。これにより、スプリングピン６０が元の形状に戻ろうとする力（復元力）が下側収容部４２に作用することとなる。その結果、スプリングピン６０における下側収容部４２に嵌め入れられている部分の外周面が下側収容部４２の内周面に押し当てられることとなり、スプリングピン６０における下側収容部４２に嵌め入れられている部分の外周面と下側収容部４２の内周面との間にスプリングピン６０の軸方向への変位を妨げる方向に摩擦力が発生することとなる。
【００８５】
従って、本実施形態では、スプリングピン６０における下側収容部４２に嵌め入れられている部分の外周面と下側収容部４２の内周面との間に発生する静止摩擦力に基づいて、スプリングピン６０が蓋側筒部３８における下側収容部４２に嵌められて固定されることとなり、その結果、上述の如きスプリングピン６０の蓋側筒部３８への収容状態が実現されるようになっている。
【００８６】
すなわち、本実施形態では、スプリングピン６０における下側収容部４２に嵌め入れられている部分の外周面と下側収容部４２の内周面との間に発生する静止摩擦力により、上述の如く、スプリングピン６０が蓋側筒部３８に嵌められて、板状片６６が蓋側筒部３８の内部空間３９内に収容位置せしめられると共に、スプリングピン６０の軸方向他端６３が蓋側筒部３８の内部空間３９内に位置せしめられた状態が、準備状態とされているのである。
【００８７】
そして、上述の如く、スプリングピン６０が下側収容部４２に嵌め入れられた状態から操作突起５９における押圧操作板部５７を押圧操作することにより、スプリングピン６０を摩擦力に抗して更に嵌め入れる。その際、操作突起５９における連結突起５５の板状片６６に形成された連結穴５３への嵌め込み状態が維持されており、操作突起５９と板状片６６が一体となって、スプリングピン６０の挿入方向に移動して行くようになっている。これにより、図１９に示されているように、スプリングピン６０の軸方向他端６３が本体側筒部２８の内部空間２７内に到達して、スプリングピン６０が蓋側筒部３８と本体側筒部２８とに跨って挿入された状態となり、かかる状態で、スプリングピン６０の軸方向一端６１は蓋側筒部３８内に位置せしめられている。その結果、ケース本体１２に対する蓋部材１４の開蓋方向へのスライド変位が、蓋側筒部３８と本体側筒部２８とに跨って挿入されたスプリングピン６０によって阻止されて、ケース本体１２と蓋部材１４が固定された固定状態が実現されることとなる。
【００８８】
そこにおいて、本実施形態では、上述の如く、スプリングピン６０が蓋側筒部３８と本体側筒部２８とに跨って挿入された状態で、スプリングピン６０における下側収容部４２に嵌め入れられている部分だけに対して、スプリングピン６０を軸直角方向に締める力が作用するようになっている。即ち、本実施形態では、スプリングピン６０の軸方向変位を阻止する摩擦力が、スプリングピン６０における下側収容部４２に嵌め入れられている部分のみに及ぼされるようになっており、その結果、スプリングピン６０が蓋側筒部３８（下側収容部４２）だけに嵌められて固定されているのである。
【００８９】
また、本実施形態では、図１８に示されている状態から操作突起５９（押圧操作板部５７）を押圧操作することにより、スプリングピン６０を更に嵌め入れる際において、スプリングピン６０に固定された組付ピン６４における板状片６６の長手方向両端が、上側収容部４０における長手方向（図７や図１８における左右方向）で対向位置せしめられる一対の対向壁部７０，７０に対して摺動せしめられるようになっている。
【００９０】
そこにおいて、本実施形態では、一対の対向壁部７０，７０の対向面間距離が、上側収容部４０の上側開口から底壁へと行くに従って次第に短くなるようにされている。これにより、スプリングピン６０に固定された組付ピン６４における板状片６６の長手方向両端は、上側収容部４０の底壁側に行くに従って次第に上側収容部４０の上側開口側への反りが大きくなるようになっている。
【００９１】
そして、本実施形態では、板状片６６が上側収容部４０の底壁に到達すると、板状片６６の長手方向両端部のそれぞれが、上側収容部４０の上側開口側に反った状態から元の状態に戻ると共に、各対向壁部７０の底壁付近に形成された開口穴７２に入り込むようになっている。その結果、板状片６６の長手方向両端部のそれぞれが、各対向壁部７０に形成された開口穴７２の内周面７４のうちスプリングピン６０の嵌入方向とは反対側に位置する面に対して係止されることにより、組付ピン６４の上側収容部４０の上側開口側への変位、延いては、スプリングピン６０の軸方向上方への変位（抜け方向となる挿入方向とは反対の方向への変位）が阻止されることとなる。
【００９２】
なお、このようにして、板状片６６の長手方向両端のそれぞれが、開口穴７２の内周面７４に係止された状態下において、板状片６６は上側収容部４０の底壁に当接せしめられている。これにより、組付ピン６４の下側収容部４２側への変位が規制されるようになっている。
【００９３】
そこにおいて、本実施形態では、上述の如く、板状片６６の長手方向両端のそれぞれが、開口穴７２の内周面７４に係止された状態で、操作突起５９における押圧操作板部５７の上面が蓋側筒部３８の上端面６９と略同じ高さに位置せしめられている。
【００９４】
そして、この状態から押圧操作板部５７を手掛かりにして、操作突起５９における連結突起５５を板状片６６に形成された連結穴５３から引き抜き、操作突起５９を板状片６６から取り外すことにより、図２０に示されているように、組付ピン６４における板状片６６と挿入軸６８、即ち、組付ピン６４において一体形成されていた部分のみが、蓋側筒部３８内に収容位置せしめられることとなる。
【００９５】
なお、本実施形態では、スプリングピン６０が蓋側筒部３８に嵌着固定されて、板状片６６の上面６７が蓋側筒部３８の上端面６９と同じ高さに位置せしめられた状態下において、図２１に示されているように、板状片６６における幅方向両端と上側収容部４０との間に隙間が形成されるようになっている。
【００９６】
特に、本実施形態では、図面上では必ずしも明らかではないが、板状片６６の上面６７が蓋側筒部３８（上側収容部４０）の上端面６９と同じ高さに位置せしめられた状態から板状片６６の長手方向両端のそれぞれが開口穴７２，７２に入り込むまでの間において、板状片６６における幅方向両端と上側収容部４０との間に隙間が形成されるようになっている。これにより、スプリングピン６０が蓋側筒部３８と本体側筒部２８とに跨って挿入された状態に至るまでの間において、板状片６６の長手方向両端のみが上側収容部４０の上側開口側に反るようになっている。その結果、スプリングピン６０が蓋側筒部３８だけに嵌め入れられた状態からスプリングピン６０が蓋側筒部３８と本体側筒部２８とに跨って挿入された状態に至るまでの抵抗を小さくすることが可能となる。
【００９７】
上述の説明から明らかなように、本実施形態では、本実施形態では、ケース本体１２に対して一体形成された本体側筒部２８と、蓋部材１４に対して一体形成された蓋側筒部３８と、これら本体側筒部２８と蓋側筒部３８とに跨って挿入されるスプリングピン６０と、板状片６６と、挿入軸６８とを含んで、ロック機構１１が構成されている。
【００９８】
また、図面上では明示されていないが、本実施形態では、四つのロック機構１１が集まることで構成されたロック機構グループ７６のうち、何れか一つのロック機構１１においてのみ、図２０に示されているように、スプリングピン６０が本体側筒部２８と蓋側筒部３８とに跨って挿入された状態、即ち、組付状態解除阻止機能が発揮された状態とされている一方、その他のロック機構１１の全てにおいて、図１８に示されているように、スプリングピン６０が蓋側筒部３８のみに嵌め入れられた状態、即ち、組付状態解除阻止機能が発揮されていない準備状態とされている。
【００９９】
なお、組付状態解除阻止機能が発揮された状態のロック機構１１において、図１９に示されているように、操作突起５９を取り付けた状態にしておくことも、勿論可能である。
【０１００】
このような構造とされたロック機構１１においては、ケース本体１２に対して蓋部材１４が組み付けられた状態で、ケース本体１２に対する蓋部材１４のスライド変位方向に直交する方向に延びる中心軸線上に位置せしめられた蓋側筒部３８（下側収容部４２）と本体側筒部２８とに跨って挿入されるスプリングピン６０が、蓋側筒部３８における下側収容部４２に嵌められて固定されていることから、ケース本体１２に対する蓋部材１４の開蓋方向へのスライド変位がスプリングピン６０によって阻止されることとなり、その結果、ケース本体１２と蓋部材１４の固定状態、延いては、組付状態の維持が実現されるようになっている。
【０１０１】
そこにおいて、蓋側筒部３８と本体側筒部２８とに跨って挿入されるスプリングピン６０は、周方向の一部で分断された筒形状とされて、軸直角方向にばね作用を生ぜしめるようになっていることから、スプリングピン６０が蓋側筒部３８と本体側筒部２８とに跨って挿入された状態で、下側収容部４２（蓋側筒部３８）によって及ぼされる、スプリングピン６０を締める力の反力が、下側収容部４２（蓋側筒部３８）に及ぼされるようになっている。
【０１０２】
これにより、スプリングピン６０における下側収容部４２（蓋側筒部３８）に嵌め入れられている部分の外周面と下側収容部４２（蓋側筒部３８）の内周面との間においてスプリングピン６０の軸方向への変位を妨げる方向に作用する摩擦力が発生することとなる。
【０１０３】
従って、上述の如き構造とされたロック機構１１においては、本体側筒部２８や蓋側筒部３８に成形時の寸法誤差があったり、遊技機用基板ケース１０の周辺温度の変化に起因して、本体側筒部２８や蓋側筒部３８に変形があったとしても、ケース本体１２と蓋部材１４の安定した固定状態、延いては、組付状態の維持を有利に実現することが可能となり、その結果、ケース本体１２に対する蓋部材１４の開蓋方向へのスライド変位、即ち、ケース本体１２と蓋部材１４の組付状態の解除を有利に阻止することが可能となる。
【０１０４】
また、スプリングピン６０が下側収容部４２（蓋側筒部３８）と本体側筒部２８とに跨って挿入された状態で、板状片６６の長手方向両端のそれぞれが、開口穴７２，７２に嵌め込まれるようになっていることから、スプリングピン６０が軸方向上方、即ち、挿入方向とは反対側の方向となる抜け方向に変位しようとした場合に、板状片６６の長手方向両端のそれぞれが、開口穴７２の内周面７４に対してスプリングピン６０の挿入方向とは反対側の面に係止されることとなる。これにより、例えば、本体側筒部２８の底壁に穴を開ける等して、スプリングピン６０を挿入方向とは反対の方向に押し戻そうとしても、板状片６６の長手方向の各端部が開口穴７２の内周面７４に対して係止されることにより、スプリングピン６０の挿入方向とは反対側の方向への変位を阻止することが可能となる。その結果、ケース本体１２と蓋部材１４の安定した固定状態、延いては、組付状態の維持を一層有利に実現することが可能となり、ケース本体１２と蓋部材１４の組付状態の解除を一層有利に阻止することが可能となる。
【０１０５】
さらに、挿入軸６８が板状片６６の中央部分に突出形成されていることから、スプリングピン６０が蓋側筒部３８と本体側筒部２８とに跨って挿入されるまでの過程における板状片６６の長手方向両端の反りを有利に実現することが可能となる。
【０１０６】
更にまた、スプリングピン６０に固定された組付ピン６４の板状片６６に対して操作突起５９が突設されていることから、スプリングピン６０の挿入作業を、かかる操作突起５９を押圧操作することにより、有利に行うことが可能となる。
【０１０７】
そこにおいて、本実施形態では、操作突起５９を押圧操作する際に作業者の指等が触れる押圧操作板部５７が、平面視において、操作突起５９と板状片６６を連結する連結突起５５よりも十分に大きくされていることから、操作突起５９の押圧操作を行い易くすることが可能となる。
【０１０８】
また、本実施形態では、スプリングピン６０と挿入軸６８と板状片６６と連結突起５５と押圧操作板部５７とが同一中心軸上に位置せしめられていることから、操作突起５９を押圧操作する力が、スプリングピン６０の中心軸線方向に効率良く伝達されることとなり、スプリングピン６０の挿入作業を一層有利に実現することが可能となる。
【０１０９】
更にまた、本実施形態では、操作突起５９が板状片６６の中央部分から板厚方向他方に突設されていることから、スプリングピン６０が蓋側筒部３８と本体側筒部２８とに跨って挿入されるまでの過程における板状片６６の長手方向両端の反りを有利に実現することが可能となる。
【０１１０】
また、本実施形態では、操作突起５９が板状片６６から取り外し可能とされていることから、操作突起５９が用済みとなった場合、即ち、板状片６６の長手方向両端のそれぞれが開口穴７２，７２に嵌め入れられた場合、操作突起５９を板状片６６から取り外すことにより、組付ピン６４における一体形成部分（挿入軸６８と板状片６６）だけを蓋側筒部３８内に収容位置せしめることが可能となる。その結果、操作突起５９を手掛かりにして、スプリングピン６０が引き抜かれることを有利に回避することが可能となる。
【０１１１】
更にまた、本実施形態では、本体側筒部２８が有底円筒形状とされていることから、本体側筒部２８の底壁に穴を開ける等しない限り、スプリングピン６０が本体側筒部２８の側から引き抜けないようになっており、しかも、スプリングピン６０と蓋側筒部３８における下側収容部４２との間において、スプリングピン６０の引き抜き方向に対して逆らう方向に摩擦力が働くようになっていることから、スプリングピン６０の引き抜きを有利に阻止することが可能となり、その結果、ケース本体１２と蓋部材１４の固定状態、延いては、組付状態の維持の更なる安定化を図ることが可能となり、ケース本体１２と蓋部材１４の組付状態の解除をより一層有利に阻止することが可能となる。
【０１１２】
また、本実施形態では、スプリングピン６０が蓋側筒部３８だけに嵌め入れられた状態を維持することが、スプリングピン６０における下側収容部４２に嵌め入れられている部分の外周面と下側収容部４２の内周面との間に発生する静止摩擦力に基づいて実現されるようになっていることから、ケース本体１２と蓋部材１４の組付状態解除阻止機能が発揮されていないロック機構１１を構成する蓋側筒部３８を巧く利用することにより、ケース本体１２と蓋部材１４の組付状態解除阻止機能が発揮されていないロック機構１１において、これから使用されるスプリングピン６０、即ち、これから本体側筒部２８と蓋側筒部３８とに跨って挿入されるスプリングピン６０を有利に配設することが可能となる。その結果、ケース本体１２と蓋部材１４の組付状態解除阻止機能が発揮されていないロック機構１１において将来使用されるスプリングピン６０の配設スペースを有利に確保することが可能となる。
【０１１３】
また、本実施形態では、スプリングピン６０が下側収容部４２（蓋側筒部３８）だけに嵌められて固定されるようになっていることから、蓋側筒部３を蓋部材１４の周壁３７に連結している取付片４４，４４をニッパー等で切断することにより、蓋側筒部３８を蓋部材１４から分離するだけで、スプリングピン６０を本体側筒部２８から容易に抜き取ることが可能となる。その結果、ロック機構１１が破壊された痕跡を残しつつ、遊技機用基板ケース１０の開蓋作業を速やかに行うことが可能となる。
【０１１４】
以上、本発明の一実施形態について詳述してきたが、これはあくまでも例示であって、本発明は、かかる実施形態における具体的な記載によって、何等、限定的に解釈されるものではない。
【０１１５】
例えば、前記実施形態におけるスプリングピン６０の軸方向端部外側の角部に対する角取りは、必ずしも必要なものではない。また、前記実施形態における下段収容部３２と上段収容部３４は、必ずしも必要なものではない。
【０１１６】
また、スプリングピンにおける周方向で分断されている部分は、前記実施形態のように、蛇行している必要はなく、真っ直ぐ延びていても良い。更に、スプリングピンは、板材を一周以上に巻いた構造であっても良い。
【０１１７】
更にまた、周方向で分断された筒状のスプリングピンに対して、スプリングピンの形成材料よりも硬度が低い材料で形成された挿入部材を挿入固定しても良い。これにより、スプリングピンにおいて周方向で分断されている部分の離隔距離を有利に確保することが可能となり、その結果、スプリングピンの軸直角方向へのばね作用を有利に得ることが可能となる。なお、挿入部材の形成材料としては、例えば、硬質ゴムやシリコーン，セラミックス，ウレタン等が採用される。
【０１１８】
また、スプリングピン６０は、蓋側筒部３８と本体側筒部２８の両方に嵌められて固定されるようになっていても良い。
【０１１９】
また、前記実施形態において、下側収容部４２の内径寸法が軸方向上端から軸方向下端に行くに従って次第に小さくされていても良い。これにより、スプリングピン６０の嵌め入れ作業を有利に実現することが可能となる。
【０１２０】
さらに、板状片の板面に直交する方向から見た形状は、円形や楕円形，多角形等が何れも採用され得る。
【０１２１】
更にまた、操作突起は板状片に対して一体形成されていても良い。そこにおいて、操作突起が板状片に対して一体形成されている場合には、操作突起が用済みとなった段階で、操作突起を板状片から分離することが望ましい。これにより、操作突起を手掛かりにしたスプリングピンの引き抜きを有利に回避することが可能となる。具体的には、例えば、操作突起を押圧操作する際に、潰れる等の変形が生じない程度の強度を有する脆弱部を操作突起における板状片との接続部分に設けておき、かかる脆弱部を捩じ切る等することにより、操作突起を板状片から分離すること等が考えられる。
【０１２２】
また、前記実施形態において、板状片６６の長手方向両端のそれぞれが、開口穴７２，７２に嵌め入れられた状態で、操作突起５９における押圧操作板部５７の上面が蓋側筒部３８の上端面６９よりも上方に位置せしめられていても良い。これにより、押圧操作板部５７を手掛かりにした操作突起５９を取り外す作業を一層有利に実現することが可能となる。
【０１２３】
さらに、板状片の外周面とかかる板状片が収容されている第一の筒部の内周面との間に発生する静止摩擦力を利用して、準備状態を実現するようにしても良い。
【０１２４】
さらに、制御基板１６は、蓋部材１４に対してネジ止めされる必要はなく、制御基板１６の適当な位置に形成された穴に対して蓋部材１４に設けられた突起を挿し込むことにより、蓋部材１４に対して位置決めされているだけであっても良い。
【０１２５】
更にまた、前記実施形態では、不正行為防止の観点から遊技機用基板ケースに採用されているロック機構について説明したが、本発明は、ただ単に、第一の構成部材に対して第二の構成部材を組付固定するための手段として採用することも、勿論可能である。
【０１２６】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【０１２７】
【図１】本発明の一実施形態としてのロック機構を備えた遊技機用基板ケースの平面図。
【図２】同遊技機用基板ケースを構成するケース本体の平面図。
【図３】図２におけるＩＩＩ−ＩＩＩ方向の断面図。
【図４】図２におけるＩＶ−ＩＶ方向の断面図。
【図５】図１の遊技機用基板ケースを構成する蓋部材の平面図。
【図６】図５におけるＶＩ−ＶＩ方向の断面図。
【図７】図５におけるＶＩＩ−ＶＩＩ方向の断面図。
【図８】ケース本体に対して蓋部材をスライドさせる前の状態を説明するための断面図。
【図９】ケース本体に対して蓋部材をスライドさせた状態を説明するための断面図。
【図１０】図１におけるＸ−Ｘ方向に相当する断面図であって、本体側筒部と蓋側筒部の位置関係を説明するための要部拡大断面図。
【図１１】図１のロック機構を構成するスプリングピンの正面図。
【図１２】図１１に示されたスプリングピンの上面図。
【図１３】図１１に示されたスプリングピンに固定される組付ピンの正面図。
【図１４】同組付ピンの上面図。
【図１５】同組付ピンの右側面図。
【図１６】図１４におけるＸＶＩ−ＸＶＩ断面図。
【図１７】図１１のスプリングピンに組付ピンが固定された状態を示す正面図。
【図１８】図１７のスプリングピンが下側収容部に嵌められた状態を説明するための断面図。
【図１９】図１７のスプリングピンが下側収容部とケース側筒部に嵌められた状態を説明するための断面図。
【図２０】図１９の状態から操作突起が取り外された状態を説明するための断面図。
【図２１】図１８に示された状態を上方からみた図面。
【符号の説明】
【０１２８】
１０：遊技機用基板ケース，１１：ロック機構，１２：ケース本体，１４：蓋部材，２８：本体側筒部，３８：蓋側筒部，５９：操作突起，６０：スプリングピン，６１：軸方向一端，６３：軸方向他端，６６：板状片，６８：挿入軸，６９：上端面，７２：開口穴，７４：内周面
【図１】
2007275430.tif 000003
【図２】
2007275430.tif 000004
【図３】
2007275430.tif 000005
【図４】
2007275430.tif 000006
【図５】
2007275430.tif 000007
【図６】
2007275430.tif 000008
【図７】
2007275430.tif 000009
【図８】
2007275430.tif 000010
【図９】
2007275430.tif 000011
【図１０】
2007275430.tif 000012
【図１１】
2007275430.tif 000013
【図１２】
2007275430.tif 000014
【図１３】
2007275430.tif 000015
【図１４】
2007275430.tif 000016
【図１５】
2007275430.tif 000017
【図１６】
2007275430.tif 000018
【図１７】
2007275430.tif 000019
【図１８】
2007275430.tif 000020
【図１９】
2007275430.tif 000021
【図２０】
2007275430.tif 000022
【図２１】
2007275430.tif 000023